(57)【要約】【課題】容易に正確な時刻を受信でき、電波時計に対して確実に電波受信させることができ、周囲に影響を与えず低消費電力で駆動できる、電波時計用の電波中継装置を提供する。【解決手段】標準電波以外で得られる正確な時刻情報を、外部機器から受信するための受信部と、前記受信部で得られた時刻情報を疑似標準電波で発信する発信部と、前記受信部と前記発信部の動作を制御する制御部と、本装置の電源となる電源部と、前記受信部と前記発信部と前記制御部と前記電源部とを保持する保持部材で構成され、前記保持部材は、電波時計と、電波時計を掛止する壁の間に掛止するための掛止手段を有する。【選択図】図１
2017049009.tif 000002
【特許請求の範囲】
【請求項１】
電波時計用の電波中継装置であって、
標準電波以外で得られる正確な時刻情報を、外部機器から受信するための受信部と、
前記受信部で得られた時刻情報を疑似標準電波で発信する発信部と、
前記受信部と前記発信部の動作を制御する制御部と、
本装置の電源となる電源部と、
前記受信部と前記発信部と前記制御部と前記電源部とを保持する保持部材で構成される、
ことを特徴とする電波中継装置。
【請求項２】
更に、前記保持部材は、電波時計と、電波時計を掛止する壁の間に掛止するための掛止手段を有している、
ことを特徴とする請求項１に記載の電波中継装置。
【請求項３】
更に、前記掛止手段は、前記保持部材に設けられた掛止用穴又は引掛け溝である、
ことを特徴とする請求項１又は２に記載の電波中継装置。
【請求項４】
更に、前記掛止手段は、前記保持部材の上部に設けられている、
ことを特徴とする請求項１から３のいずれか一つに記載の電波中継装置。
【請求項５】
更に、前記保持部材は、その長さが調節可能に構成されている、
ことを特徴とする請求項１から４に記載の電波中継装置。
【請求項６】
更に、前記発信部は、微弱な電波の発信を行うための微弱電波発信手段を有し、
前記微弱電波発信手段は、基板の配線パタ−ンで構成されているアンテナである、
ことを特徴とする請求項１から５のいずれか一つに記載の電波中継装置。
【請求項７】
更に、前記アンテナは、前記保持部材を兼用する、
ことを特徴とする請求項１から６のいずれか一つに記載の電波中継装置。
【請求項８】
更に、前記電源部は、前記保持部材の下部に配置される、
ことを特徴とする請求項１から７のいずれか一つに記載の電波中継装置。
【請求項９】
前記制御部は、疑似標準電波の発信制御手段を有し、前記発信制御手段は、疑似標準電波の発信時刻を、時刻情報と合わせて外部機器から受信し、受信した発信時刻に基づいて疑似標準電波の発信を行う、
ことを特徴とする請求項１から８のいずれか一つに記載の電波中継装置。
【請求項１０】
前記発信制御手段は、疑似標準電波を発信するごとに、疑似標準電波の発信時刻を可変することを特徴とする請求項９に記載の電波中継装置。
【発明の詳細な説明】
【技術分野】
【０００１】
本発明は、電波時計用の電波中継装置に関する。
【背景技術】
【０００２】
自動修正時計のうち電波を用いる電波時計は、例えば、日本標準時を高精度に伝える標準電波（４０ｋＨｚ，６０ｋＨｚ）を受信し、この受信した標準電波に基づいて、時刻修正等を行う機能を有しており、この標準電波を受信するための内蔵アンテナを備えている。
【０００３】
このような電波時計は、標準電波を定期的に受信することによって、時刻の正確性を維持している。したがって、電波時計は標準電波を安定して受信できる環境が求められている。
【０００４】
しかし、利用者による電波時計の使用環境が、標準電波の受信環境として必ずしも適当であるとは限らない。
【０００５】
そこで、電波時計に対して、設置場所に制限されることなく標準電波を受信させるために、疑似標準電波発生装置が提案されている。
【０００６】
この疑似標準電波発生装置は、標準電波を正しく受信できない場所に設置した電波時計に対し、標準電波で得られた正確な時刻情報を疑似標準電波として発信している。
【０００７】
したがって、電波時計は、付近に設置された疑似標準電波発生装置から発信される疑似標準電波を受信するため、場所を限定することなく設置が行える。
【先行技術文献】
【特許文献】
【０００８】
【特許文献１】特許３４３９１０２号（段落００２２〜００３８、図１、２）
【発明の概要】
【発明が解決しようとする課題】
【０００９】
しかしながら、特許文献１の疑似標準電波発生装置は、必ず１つは標準電波が受信できる環境に設置する必要があり、疑似標準電波発生装置の設置場所は限定されるとともに、電波中継器として利用する場合は疑似標準電波の届く範囲毎に擬似標準電波発生装置を設置しなければならない問題がある。
【００１０】
また、疑似標準電波発生装置から電波時計に対して広範囲に擬似標準電波を発信しているため、不用意に意図していない周辺機器に対して疑似標準電波を発信している可能性があり、また広範囲に擬似標準電波を発信するため消費電力が高い問題がある。
【００１１】
本発明は、以上のような課題を解決しようとするもので、容易に正確な時刻を受信でき、電波時計に対して確実に電波受信させることができ、周囲に影響を与えず低消費電力で駆動できる、電波時計用の電波中継装置を提供することを目的とする。
【課題を解決するための手段】
【００１２】
標準電波以外で得られる正確な時刻情報を、外部機器から受信するための受信部と、前記受信部で得られた時刻情報を疑似標準電波で発信する発信部と、前記受信部と前記発信部の動作を制御する制御部と、本装置の電源となる電源部と、前記受信部と前記発信部と前記制御部と前記電源部とを保持する保持部材で構成され、前記保持部材は、電波時計と、電波時計を掛止する壁の間に掛止するための掛止手段を有することを特徴とする。
【発明の効果】
【００１３】
以上のように、本発明によれば、壁掛け電波時計においては、壁掛け電波時計と電波時計を掛止する壁との間に電波中継装置を設置し、電波中継装置は時刻規正されたパーソナルコンピュータやタブレット端末等の周辺の端末から配信される時刻情報を受信することで、容易に正確な時刻を受信できると同時に、微弱な疑似標準電波の発信でも十分に電波時計は受信するため、電波時計に対して確実に電波受信させることができ、周囲に影響を与えず低消費電力で駆動させることができる。
【図面の簡単な説明】
【００１４】
【図１】電波中継装置の第１実施例の外観図である。
【図２】一般的な壁掛け電波時計の参考例を示す図である。
【図３】電波中継装置の好ましくない一例を示す図である。
【図４】電波中継装置の第１実施例の設置時の側面図である。
【図５】本発明のシステム全体図である。
【図６】電波中継装置のフローチャート図である。
【図７】電波中継装置の第２実施例の外観図である。
【図８】電波中継装置の第２実施例の設置時の側面図である。
【図９】電波中継装置の基板アンテナの外観図である。
【図１０】基板アンテナを保持部材として利用時の外観図である。
【図１１】電波中継装置の第３実施例の外観図である。
【図１２】電波中継装置の第３実施例の設置時の側面図である。
【図１３】電波中継装置の第３実施例の応用例を示す図である。
【図１４】掛止手段において掛止用穴以外の一例を示す図である。
【図１５】疑似標準電波発信時刻のタイムチャ−ト図である。
【図１６】電波中継装置の使用例を示す図である。
【発明を実施するための形態】
【実施例１】
【００１５】
以下に本発明の電波中継装置の第１実施例を示す。図１は本発明の第１実施例の外観図であり、図２は一般的な壁掛け電波時計の参考例を示す図であり、図３は本発明の好ましくない一例を示す図であり、図４は本装置の第１実施例の設置時の側面図であり、図５は本発明のシステム全体図であり、図６は電波中継装置のフローチャート図である。
【００１６】
本発明の中継器１は、図１に示すように本体筐体２−１と、電源筐体２−２と、保持部材４で構成されており、本体筐体２−１は動作の制御を行う制御部と、外部の規正された時刻の受信を行う受信部と、擬似標準電波を発信するための発信部を有し、電源筐体２−２は本装置の動作電源となる電源部を有している。
【００１７】
ここで、疑似標準電波とは、特許文献１の段落００３８にあるように、ＲＴＣ（リアルタイムクロック）の時刻に基づいて、標準電波と同じタイムコードを形成したものである。
【００１８】
保持部材４は、電波時計１０の電波時計凸部１１（図２参照）との干渉を避けるために半円ド−ナツ形状をしており、保持部材４の左先端には本体筐体２−１が固定され、右先端には電源筐体２−２が固定され、半円に沿って電源配線５を行う。本体筐体２−１及び電源筐体２−２の配置はこれに限らず、左右端に分けて配置するのであれば左右どちらでもよい。
【００１９】
本体筐体２−１と電源筐体２−２を左右に分けて固定した意図として、片側に筐体２を配置した場合、重量が偏ることにより、図３に示すように壁掛用穴６を中心に筐体２が矢印Ｂのように回転するため、筐体２と接触する。このため、電波時計凸部１１は側面から筐体２による加重（矢印Ａ）が加わるため、電波時計１０が傾いてしまう。これを防ぐために、保持部材４の左右端に筐体２を配置させることで、左右の重量を均等にすることが好ましい。特に電池を納めた電源筐体２−２は、制御基板や通信部品を納めた本体筐体２−１と比較すると重くなるため、本体筐体２−１を電源筐体２−２と同じ重量に調整するための重量調整金具７を取り付けてもよい。
【００２０】
また、保持部材４の上部中央には中継器１を壁３４（図４参照）に掛止するための壁掛用穴６を有し、ピン３５等により壁３４に掛止することができる。
【００２１】
図５は本装置のシステム全体図である。時刻配信源４４は外部の標準時刻源４５より標準時刻の受信及び時刻同期を行うことで時刻精度を維持し、利用者が中継器１を外部にて設定操作を行えるよう端末４１を有し、更に中継器１と無線通信４０するための通信モジュ−ル(時刻配信側)４２を有している。端末４１は特に限定はないが、パーソナルコンピュータやタブレット端末等の周辺機器で、利用者が使いやすい又は使い慣れている端末４１が好ましい。標準時刻源４５は、正確な時刻配信源であれば特に限定はないが、標準電波は受信できない環境にあるため、例えば、ネットワ−クタイムプロトコル（ＮＴＰ）を用いるタイムサ−バ等の、屋内環境を利用して時刻を取得する手段や、高感度のＧＰＳ・ＱＺＳＳ衛星電波受信機等の、標準電波と比較して受信障害に強いものから時刻を取得する手段が好ましい。またパーソナルコンピュータやタブレット端末等の端末４１は一般的に無線通信手段を有しているため、端末４１によっては通信モジュ−ル(時刻配信側)４２を用意する必要はない。
【００２２】
本体筐体２−１の制御部はマイコンを用いた制御回路４９であり、本装置の時刻管理や通信タイミング等の動作制御を行う。受信部は通信モジュ−ル(時刻配信側)４２と同じ通信規格を有した通信モジュ−ル４６であり、制御回路４９からの指示により時刻配信源４４からの現在時刻や電池残量等の送受信を無線通信４０により行う。通信規格は、無線LANやBluetooth(登録商標)等の近距離無線通信が好ましい。発信部は電波時計１０等で一般的に利用されているバ−アンテナ４８であり、制御回路４９からの指示により電波時計１０に対して疑似標準電波４３の発信を行う。発信部にはバ−アンテナ４８を用いたが、もちろんこれに限らず、標準電波を発信できるアンテナであれば何でも良い。
【００２３】
電源筐体２−２の電源部は単三電池４７を用いており、本体筐体２−１に電源供給を行っている。制御回路４９は電源部からの供給電圧が動作電圧より低下すると、無線通信４０により端末４１の表示画面に警告表示を行う。これにより利用者は電池交換時期を知ることができるため、中継器１を見回る手間がなくなる。電源部には単三電池４７を用いたが、もちろんこれに限らず、電波時計１０の裏面に収まる外形であればリチウム電池やコイン電池等でもよく、特に限定はない。
【００２４】
図４は本発明の第１実施例の設置時の側面図である。中継器１は、電波時計１０の裏面にピン３５等で掛止するが、電波時計１０を正面３０から見た際に中継器１が視認できないように、保持部材４及び筐体２の平面外形は電波時計１０より小さく形成され、さらに電波時計凸部１１によりできる壁３４と電波時計１０の間の空間に収まるよう形成されている。
【００２５】
電波時計１０を設置する位置は一般的に考えて壁３４の上部であり、人の身長より高い位置に設置することが多い。中継器１を電波時計１０の上部に設置することで、正面３０から中継器１を視認することはできず、斜め３１からも中継器１を視認することはできず、真下３２から覗きこまない限り中継器１を視認することはできないため、一般的に使用する限りは中継器１を取り付けても電波時計１０の見栄えが変化することはない。
【００２６】
次に機器の動作について図６のフローチャートを用いて説明する。中継器１は電源投入時（ＳＴ０）、初回起動により通信モジュ−ル電源及びマイコン電源がＯＮとなり（ＳＴ１）、時刻規正源４４より時刻情報と時刻情報発信時刻を取得する（ＳＴ２）。取得した時刻情報をＲＴＣに設定し（ＳＴ３）、時刻情報発信時刻を次回の起動アラ−ム時刻として（ＳＴ４）、起動アラーム時刻をＲＴＣに設定する。（ＳＴ５）ここで受信は完了しているため、消費電力を抑えるために通信モジュ−ル４６のみ電源をＯＦＦにし（ＳＴ６）、バ−アンテナ４８より擬似標準電波４３を発信する（ＳＴ７）。発信完了後、マイコンをスリ−プ状態にする（ＳＴ８）。その後、起動アラ−ム時刻の待ち受け状態となり（ＳＴ９）、起動アラ−ム時刻ではない場合（ＳＴ９：ＮＯ）は待ち受け状態を続行する。起動アラ−ム時刻の場合（ＳＴ９：ＹＥＳ）は通信モジュ−ル電源をＯＮ及び、ＲＴＣがマイコンをスリ−プから起動させ（ＳＴ１０）、ＳＴ２に移行し繰り返し同じ動作を行う。
【００２７】
以上、第１実施形態によれば、次の効果を得ることができる。中継器１は、直接標準電波を受信せずに、周辺の端末４１（パーソナルコンピュータやタブレット端末等）の時刻規正源４４から無線通信４０により正確な時刻情報を受信するため、設置場所は限定されず、電波時計１０と壁３４の間に掛止することにより、電波時計１０の内蔵アンテナと中継器１のバーアンテナ４８は近傍に配置されるため、中継器１の発信する擬似標準電波４３は微弱な電波でも電波時計１０は十分に受信可能となり、時刻規正源４４から電波時計１０に標準電波を直接発信することと比較して、消費電力の低減が図れ、不用意に意図していない周辺機器に対して擬似標準電波４３を発信してしまう可能性もなく、確実に電波時計１０を正確な時刻に修正することが可能となる。
【００２８】
しかし、電波時計１０の種類によって外形や電波時計凸部１１の形状は異なるため、中継器１が取り付かない可能性もある。したがって、中継器１は電波時計１０及び電波時計凸部１１と壁３４に挟まる形で設置することができる形状が好ましい。
【実施例２】
【００２９】
以下に本発明の電波中継装置の第２実施例を示す。図７は本装置の第２実施例の外観図であり、図８は本装置の第２実施例の設置時の側面図であり、図９は本装置の基板アンテナ７０の外観図であり、図１０は基板アンテナ７０を保持部材として利用時の外観図である。第２実施形態の基本的構成は第１実施形態と同様であり、第２実施形態が第１実施形態と異なる点は、図７に示すように筐体２が本体筐体２−１と電源筐体２−２に分かれておらず、制御部、受信部、発信部、電源部は１つの筐体２に収納しており、筐体２の上部に壁３４への掛止手段を有しているため、筐体２のみで中継器１として使用できる点である。
【００３０】
筐体２のみで中継器１として使用できるため、以降は筐体２を中継器１とする。中継器１は本体筐体２−１及び電源筐体２−２に分ける必要がないため、重量調整金具７や電源配線５が不要となり、電波時計凸部１１との干渉を避けるための半円ド−ナツ形状と比較すると、電波時計凸部１１と壁３４の間に挟まる形で設置するため、電波時計凸部１１が丸型でも角型でも取り付けることが可能となり、本装置を電波時計１０の裏面に取付けられる可能性は大きくなる。また、中継器１は上部に設けた掛止用穴６を用いて壁３４に掛止するが、電源部等の重い部品は中継器１の下部に配置することによって、安定して設置することができる。
【００３１】
中継器１の外形は、各部品を収めるために必要最低限な外形が好ましいが、本装置は電波時計１０の裏面に隠れるため、平面外形は一般的な電波時計１０の平面外形より大きくならなければ特に気にする必要はないが、側面外形は厚さに比例して電波時計１０も前面に突出するため、薄ければ薄いほうがよい。
【００３２】
図８は本発明の第２実施例の設置時の側面図である。第１実施例と比較すると、電波時計１０は中継器１の厚さに比例して前面に突出するが、真下３２から覗きこまない限りは本装置を視認することができない。
【００３３】
なお、電波時計１０の内蔵アンテナと中継器１のバーアンテナ４８は近傍に配置されるため、擬似標準電波４３の発信は微弱な電波で十分に受信可能となるので、バ−アンテナ４８ではなく図９に示す基板７１に配線パタ−ン７２を周回させた基板アンテナ７０を使用してもよい。この基板アンテナ７０を用いることで、バ−アンテナ４８と比較すると、中継器１の外形は薄くなるため部品配置も容易となり、第２実施形態においては部品が薄型化することで設置時の電波時計１０の突出は小さくなる。
【００３４】
また、図１０に示すように、第２実施形態において基板アンテナ７０を保持部材４又は筐体２として利用することにより部品点数を減らせるため、小型化することができる。また、保持部材４又は筐体２の基板アンテナ７０部分の周辺に凹部８０を設けることで、配線パタ−ン７２が電波時計１０又は壁３４に接触することがなくなるため、擦れ等による配線パタ−ン７２の断線を防ぐことができる。
【００３５】
以上、第２実施形態によれば、次の効果を得ることができる。中継器１を電波時計１０及び電波時計凸部１１と壁３４の間に挟まる形で設置した場合、本装置は電波時計１０の外形及び電波時計凸部１１の形状に影響されずに電波時計１０と壁３４の間に設置することができる。
【００３６】
しかし、中継器１の厚さに比例して電波時計１０は前面に突出するため、見栄えが大きく変化することはないが、利用者によっては気になる可能性がある。したがって、中継器１は、電波時計凸部１１によりできる、壁３４と電波時計１０の間の空間に収まる形状が好ましい。
【実施例３】
【００３７】
以下に本発明の電波中継装置の第３実施例を示す。図１１は本装置の第３実施例の外観図であり、図１２は本装置の第３実施例の設置時の側面図であり、図１３は本装置の第３実施例の変形図である。第３実施形態が第２実施形態と異なる点は、図１１に示すように、中継器１は着脱が行える保持部材４を有しており、保持部材４は上部に掛止手段を有し、下部には第２実施形態における中継器１が配置されており、掛止手段と中継器１の間の保持部材４の長さが、中継器１と電波時計凸部１１が干渉しないよう調節されている点である。
【００３８】
図１２に示すように、保持部材４の長さが適当であれば、電波時計凸部１１と中継器１は干渉しないため、電波時計１０は前面に突出せず、重量物である筐体２を下部に配置することにより、上部へ筐体２を取り付ける事と比較すると、中継器１の設置を安定させることができる。
【００３９】
保持部材４と中継器１は、面ファスナー９０等により着脱可能にすることで、保持部材４の長さの調整が必要な場合は、適当な長さの保持部材４と交換することができる。また、適当な長さの保持部材４がなく、電波時計凸部１１と中継器１が干渉する場合や、中継器１が電波時計１０の平面外形からはみ出してしまい、見栄えが悪くなる場合は、保持部材４を取り外して、第２実施形態のように電波時計凸部１１と壁３４の間に挟みこむ形で設置してもよい。また、保持部材４と中継器１の着脱部材には面ファスナー９０を用いたが、もちろんこれに限らず、着脱ができるものであれば特に限定はない。
【００４０】
また、図１３に示すように、保持部材４は電波時計凸部１１に合わせて長さの調節が行えるように、上下に動かせることができるスライド機構９１を設けてもよい。もちろんこれに限らず、調節手段は上下に動かせるものであれば特に限定はない。
【００４１】
以上、第３実施形態によれば、次の効果を得ることができる。中継器１の形状は電波時計凸部１１によりできる壁３４と電波時計１０の間の空間に収まる形で設置した場合、電波時計１０を前面に突出させることなく、中継器１を電波時計１０と壁３４の間に設置することができる。また、電波時計凸部と中継器１が干渉する場合や、電波時計１０の平面外形から中継器１がはみ出す場合は、保持部材４を取り外して、第２実施形態としても使用することができる。
【００４２】
なお、掛止手段として掛止用穴６を用いたが、もちろんこれに限らず、図１４に示すようにフックに引掛けるための引掛け用溝１００や、両面テ−プ等で電波時計１０又は壁３４に直接接着させてもよく、特に限定はない。
【００４３】
なお、電波時計１０の種類によって電波修正時刻は異なるが、時刻規正源４４にて電波時計１０の電波修正時刻に合わせて時刻情報発信時刻を設定し、時刻情報発信時刻を時刻情報に含めて中継器１に送信することにより、中継器１は適切な時刻に電波時計１０に対して擬似標準電波４３を発信することができる。
【００４４】
また、電波時計１０の電波修正時刻に合わせて設定することが手間、又は電波時計１０の電波修正時刻が不明な場合、擬似標準電波４３を発信させる際に、時刻情報発信時刻が重ならないように毎時変更してもよい。例えば、図１５に示すように、毎時１５分から５分間電波受信する電波時計１０において、中継器１は疑似標準電波４３の時刻情報発信時刻に毎時５分ずつ追加しながら１０分間発信すれば、いずれ電波時計１０は電波受信することができる。
【００４５】
なお、本発明の中継器１は壁掛け電波時計用として利用されるが、もちろんこれに限らず、図１６に示すように、電波時計（腕時計、置き時計等）１１０の近傍に中継器１を設置することにより、同様の効果を得ることができる。
【符号の説明】
【００４６】
１・・・中継器
２・・・筐体
２−１・・・  本体筐体
２−２・・・  電源筐体
４・・・  保持部材
５・・・  電源配線
６・・・  掛止用穴
７・・・  重量調整用金具
１０・・・  電波時計
１１・・・  電波時計凸部
３０・・・  正面視線
３１・・・  斜め視線
３２・・・  真下視線
３４・・・  壁
３５・・・  ピン
４０・・・  無線通信
４１・・・  端末
４２・・・  通信モジュ−ル（時刻配信側）
４３・・・  擬似標準電波
４４・・・  時刻規正源
４５・・・  標準時刻源
４６・・・  通信モジュ−ル
４７・・・  単三電池
４８・・・  バ−アンテナ
４９・・・  制御回路
７０・・・  基板アンテナ
７１・・・  基板
７２・・・  配線パタ−ン
８０・・・  凹部
９０・・・  面ファスナー
９１・・・  スライド機構
１００・・・  引掛け用溝
１１０・・・  電波時計（腕時計、置き時計等）
【図１】
2017049009.tif 000003
【図２】
2017049009.tif 000004
【図３】
2017049009.tif 000005
【図４】
2017049009.tif 000006
【図５】
2017049009.tif 000007
【図６】
2017049009.tif 000008
【図７】
2017049009.tif 000009
【図８】
2017049009.tif 000010
【図９】
2017049009.tif 000011
【図１０】
2017049009.tif 000012
【図１１】
2017049009.tif 000013
【図１２】
2017049009.tif 000014
【図１３】
2017049009.tif 000015
【図１４】
2017049009.tif 000016
【図１５】
2017049009.tif 000017
【図１６】
2017049009.tif 000018